(57)【要約】【課題】既存のサンプル材を使用して、多様な住宅の部屋の内装を提案したり理解したりすることが容易な内装提案装置を提供する。【解決手段】内装提案装置１０の枠１３内には、床板サンプル材２０、壁クロスサンプル材２１、建具サンプル材２２、及び天井サンプル材２３が配置されている。建具サンプル材２２の上方に壁クロスサンプル材２１が重ねられて、建具サンプル材２２の一部が露出されている。壁クロスサンプル材２１と天井サンプル材２３とが左右方向７に隣り合った状態で露出されている。壁クロスサンプル材２１の上方に床板サンプル材２０が重ねられて、壁クロスサンプル材２１の一部が露出されている。【選択図】図１
2020034797.tif 000002
【特許請求の範囲】
【請求項１】
底板と、当該底板の周縁から突出する枠と、を有するケースの当該枠内に、少なくとも床板サンプル材、壁クロスサンプル材、建具サンプル材、及び天井サンプル材が配置された内装提案装置であって、
上記建具サンプル材の上方に上記壁クロスサンプル材が重ねられて、上記建具サンプル材の一部が露出されており、
上記壁クロスサンプル材の少なくとも一部と上記天井サンプル材の少なくとも一部とが隣り合った状態で露出されており、
上記壁クロスサンプル材の上方に上記床板サンプル材が重ねられて、上記壁クロスサンプル材の一部が露出された内装提案装置。
【請求項２】
上記建具サンプル材と上記壁クロスサンプル材とは、左右方向に並んでおり、
上記壁クロスサンプル材と上記天井サンプル材とは、左右方向に並んでおり、
上記壁クロスサンプル材と上記床板サンプル材とは、上記壁クロスサンプル材を後方として前後方向に並んでいる請求項１に記載の内装提案装置。
【請求項３】
上記建具サンプル材の少なくとも一部及び上記天井サンプル材の少なくとも一部は、上記床板サンプル材より前後方向の後方に位置する請求項２に記載の内装提案装置。
【請求項４】
上記枠は、左右方向に沿って平行に延びる前方枠部及び後方枠部を有する外形が四角形状のものであり、
上記建具サンプル材及び上記天井サンプル材は、上記後方枠部に当接しており、
上記床板サンプル材は、上記前方枠部に当接している請求項３に記載の内装提案装置。
【請求項５】
上記建具サンプル材と上記天井サンプル材とは、左右方向において上記壁クロスサンプル材を挟んで並んでいる請求項２から４のいずれかに記載の内装提案装置。
【請求項６】
上記ケースの上記枠内に、更にアクセントクロスサンプル材が配置されており、
上記アクセントクロスサンプル材の上方に上記床板サンプル材が重ねられて、上記アクセントクロスサンプル材の一部が露出された請求項１から５のいずれかに記載の内装提案装置。
【請求項７】
上記アクセントクロスサンプル材と上記床板サンプル材とは、左右方向に並んでおり、
上記アクセントクロスサンプル材と上記天井サンプル材とは、上記天井サンプル材を後方として前後方向に並んでおり、
上記壁クロスサンプル材と上記アクセントクロスサンプル材とは、左右方向に並んでいる請求項６に記載の内装提案装置。
【請求項８】
上記ケースの上記枠内に、更に巾木サンプル材が配置されており、
上記壁クロスサンプル材の上方に上記巾木サンプル材が重ねられており、
上記床板サンプル材と上記巾木サンプル材とは、上記巾木サンプル材を後方として前後方向に並んでいる請求項１から７のいずれかに記載の内装提案装置。
【請求項９】
上記巾木サンプル材は、上記建具サンプル材と左右方向に並んでいる請求項８に記載の内装提案装置。
【請求項１０】
上記ケースの上記枠内に、更にフロアタイルサンプル材が配置されており、
上記床板サンプル材と上記フロアタイルサンプル材とは、左右方向に並んでおり、
上記建具サンプル材と上記フロアタイルサンプル材とは、上記フロアタイルサンプル材を後方として前後方向に並んでいる請求項１から９のいずれかに記載の内装提案装置。
【請求項１１】
上記ケースの上記枠内に、更にカーテン生地サンプル材が配置されており、
上記壁クロスサンプル材の上方に上記カーテン生地サンプル材が重ねられて、上記壁クロスサンプル材の一部が露出されている請求項１から１０のいずれかに記載の内装提案装置。
【請求項１２】
上記天井サンプル材と上記カーテン生地サンプル材とは、左右方向に並んでいる請求項１１に記載の内装提案装置。
【請求項１３】
上記ケースの上記枠内に、更に床置き家具生地サンプル材が配置されており、
上記床板サンプル材の上方に上記床置き家具生地サンプル材が重ねられて、上記床板サンプル材の一部が露出されている請求項１から１２のいずれかに記載の内装提案装置。
【請求項１４】
上記ケースの上記枠内に、更に施主名が記載されたカードが配置されている請求項１から１３のいずれかに記載の内装提案装置。
【請求項１５】
上記枠の上面は、上記枠内に配置された各種サンプル材の最上位置よりも高い請求項１から１４のいずれかに記載の内装提案装置。
【発明の詳細な説明】
【技術分野】
【０００１】
本発明は、住宅の内装を提案する装置に関する。
【背景技術】
【０００２】
特許文献１は、住宅内装コーディネートカタログを開示する。住宅内装コーディネートカタログは、複数枚の台紙が綴じられたバインダーである。各台紙には、和室や洋室に合わせた天井見本、壁見本、床見本などが貼り付けられている。
【０００３】
特許文献２は、住宅の部屋をイメージしやすいコーディネートツールが開示されている。コーディネートツールは、底面板に背面板及び側面板が立てられている。底面板には床材が載置でき、背面板及び側面板にはインテリア見本が取付け可能である。
【先行技術文献】
【特許文献】
【０００４】
【特許文献１】特開平１１−１７４９６５号公報
【特許文献２】特開２０１０−２４９９９２号公報
【発明の概要】
【発明が解決しようとする課題】
【０００５】
住宅の内装に用いられる部材としては、例えば、床板、建具、壁クロス、天井材などがあげられる。更には、フロアタイル、アクセントクロス、巾木、カーテン、家具なども、住宅の内装を構成する部材である。これら各部材は、素材や色柄が多様である。住宅の内装は、施主や施主の家族の個人的な趣味が大きく反映される。また、一般に、住宅の施主らは、住宅の内装をコーディネートした経験が豊富ではない。したがって、専門家であるコーディネータの提案やアドバイスを聞きながら、趣味や好みに合った内装を決定することが多い。施主らが、各部材の質感や色柄を把握するには、いわゆるサンプル材を見たり触ったりすることが望ましい。
【０００６】
しかしながら、各種サンプル材を個別に見たり触ったりするのみでは、施主らが住宅の部屋の内装をイメージすることは難しい。また、テーブルなどに各種サンプル材を並べたとしても、テーブルの色や素材が背景としてサンプルのイメージに加わり、施主らが正確なイメージを捉え難い。また、コーディネータと施主らとの打ち合わせが終わると、テーブル上の各サンプル材が片付けられるので、打ち合わせた各サンプル材のレイアウトを再現するには、手間がかかる。
【０００７】
特許文献１に記載された住宅内装コーディネートカタログでは、台紙に貼り付けられている各見本が限られるので、多様な組み合わせをコーディネータが提案したり、施主らが理解したりすることが難しい。特に、高額な住宅では、内装材として選択可能な各部材の種類が多く、全てを台紙に貼り付けることは現実的ではない。
【０００８】
特許文献２に記載されたコーディネートツールは、立体的であるので大型になりやすい。また、背面板や側面板の形状や取付構造に併せてサンプル材を加工する必要がある。また、部屋の構造が限定的となり、多様な構造の部屋の内装をイメージさせるには、必ずしも好適なものではない。
【０００９】
本発明は、前述された事情に鑑みてなされたものであり、既存のサンプル材を使用して、多様な住宅の部屋の内装を提案したり理解したりすることが容易な内装提案装置を提供することを目的とする。
【課題を解決するための手段】
【００１０】
(1)  本発明は、底板と、当該底板の周縁から突出する枠と、を有するケースの当該枠内に、少なくとも床板サンプル材、壁クロスサンプル材、建具サンプル材、及び天井サンプル材が配置された内装提案装置に関する。上記建具サンプル材の上方に上記壁クロスサンプル材が重ねられて、上記建具サンプル材の一部が露出されている。上記壁クロスサンプル材の少なくとも一部と上記天井サンプル材の少なくとも一部とが隣り合った状態で露出されている。上記壁クロスサンプル材の上方に上記床板サンプル材が重ねられて、上記壁クロスサンプル材の一部が露出されている。
【００１１】
ケースの枠内に各サンプル材が配置されることによって、各サンプル材による内装イメージに、ケースが載置されているテーブルの素材や色などが影響を与え難い。また、レイアウトされた各サンプル材が枠で囲まれた状態で、施主らが見ることができるので、住宅の内装を一体感をもって施主らがイメージしやすい。また、各サンプル材は、ケースの底板上に載置されているので、施主らの好みや意見によって、枠内のサンプル材を他の種類のサンプル材に交換することが容易である。また、各サンプル材として、汎用のものが利用可能である。
【００１２】
また、ケースの底板上に各サンプル材がレイアウトされた状態が維持されつつ、ケースが容易に移動できるので、提案すべきコーディネートに沿った各サンプル材のレイアウトを、コーディネータが予め定める作業を行った後に、ケースと共にコーディネータが場所を移動したりして、そのレイアウトの各サンプル材が載置されたケースをコーディネータが施主らに見せることができるので、作業効率がよい。
【００１３】
また、建具サンプル材の上方に壁クロスサンプル材が重ねられているので、枠内において建具サンプル材が露出される面積が、実際の部屋の内装において建具が占める面積の割合程度に調整されやすい。また、壁クロスサンプル材の上方に床板サンプル材が重ねられているので、枠内において、壁クロスサンプル材が露出される面積と、床板サンプル材が露出される面積とが、実際の部屋の内装において各々が占める面積の割合程度に調整されやすい。また、比較的厚みがある床板サンプル材が上方にあるので、壁クロスサンプル材が撓みにくい。
【００１４】
また、建具サンプル材と壁クロスサンプル材とが隣り合って露出されており、壁クロスサンプル材と天井サンプル材とが隣り合った状態で露出されており、壁クロスサンプル材と床板サンプル材とが隣り合った状態で露出されているので、施主らが実際の部屋の内装イメージを理解しやすい。
【００１５】
(2)  好ましくは、上記建具サンプル材と上記壁クロスサンプル材とは、左右方向に並んでおり、上記壁クロスサンプル材と上記天井サンプル材とは、左右方向に並んでおり、上記壁クロスサンプル材と上記床板サンプル材とは、上記壁クロスサンプル材を後方として前後方向に並んでいる。
【００１６】
上記構成によれば、建具サンプル材、壁クロスサンプル材、天井サンプル材、及び床板サンプル材が、実際の部屋の位置関係で露出されているので、施主らが実際の部屋の内装イメージを理解しやすい。
【００１７】
(3)  好ましくは、上記建具サンプル材の少なくとも一部及び上記天井サンプル材の少なくとも一部は、上記床板サンプル材より前後方向の後方に位置する。
【００１８】
上記構成によれば、建具サンプル材、壁クロスサンプル材、及び床板サンプル材が、実際の部屋の位置関係で露出されているので、施主らが実際の部屋の内装イメージを理解しやすい。
【００１９】
(4)  好ましくは、上記枠は、左右方向に沿って平行に延びる前方枠部及び後方枠部を有する外形が四角形状のものであり、上記建具サンプル材及び上記天井サンプル材は、上記後方枠部に当接しており、上記床板サンプル材は、上記前方枠部に当接している。
【００２０】
上記構成によれば、建具サンプル材、天井サンプル材、及び床板サンプル材が、ケースの枠内において、実際の部屋の位置関係で露出されているので、施主らが実際の部屋の内装イメージを理解しやすい。
【００２１】
(5)  好ましくは、上記建具サンプル材と上記天井サンプル材とは、左右方向において上記壁クロスサンプル材を挟んで並んでいる。
【００２２】
上記構成によれば、建具サンプル材と天井サンプル材との間に壁クロスサンプル材が位置するので、施主らが実際の部屋の内装イメージを理解しやすい。
【００２３】
(6)  好ましくは、上記ケースの上記枠内に、更にアクセントクロスサンプル材が配置されており、上記アクセントクロスサンプル材の上方に上記床板サンプル材が重ねられて、上記アクセントクロスサンプル材の一部が露出されている。
【００２４】
上記構成によれば、壁にアクセントクロスが貼られた部屋の内装を施主らがイメージすることができる。また、アクセントクロスサンプル材の上方に床板サンプル材が重ねられているので、枠内において、アクセントクロスサンプル材が露出される面積と、床板サンプル材が露出される面積とが、実際の部屋の内装において各々が占める面積の割合程度に調整されやすい。また、比較的厚みがある床板サンプル材が上方にあるので、アクセントクロスサンプル材が撓みにくい。
【００２５】
(7)  好ましくは、上記アクセントクロスサンプル材と上記床板サンプル材とは、左右方向に並んでおり、上記アクセントクロスサンプル材と上記天井サンプル材とは、上記天井サンプル材を後方として前後方向に並んでおり、上記壁クロスサンプル材と上記アクセントクロスサンプル材とは、左右方向に並んでいる。
【００２６】
上記構成によれば、アクセントクロスサンプル材、壁クロスサンプル材、天井サンプル材、及び床板サンプル材が、実際の部屋の位置関係で露出されているので、施主らが実際の部屋の内装イメージを理解しやすい。
【００２７】
(8)  好ましくは、上記ケースの上記枠内に、更に巾木サンプル材が配置されており、上記壁クロスサンプル材の上方に上記巾木サンプル材が重ねられており、上記床板サンプル材と上記巾木サンプル材とは、上記巾木サンプル材を後方として前後方向に並んでいる。
【００２８】
上記構成によれば、壁に巾木が貼られた部屋の内装を施主らがイメージすることができる。また、比較的厚みがある巾木サンプル材が壁クロスサンプル材の上方にあるので、壁クロスサンプル材が撓みにくい。また、巾木サンプル材と床板サンプル材とが前後方向に並んで露出されているので、施主らが実際の部屋の内装イメージを理解しやすい。
【００２９】
(9)  好ましくは、上記巾木サンプル材は、上記建具サンプル材と左右方向に並んでいる。
【００３０】
上記構成によれば、巾木サンプル材と建具サンプル材とが、実際の部屋の位置関係で露出されているので、施主らが実際の部屋の内装イメージを理解しやすい。
【００３１】
(10)  好ましくは、上記ケースの上記枠内に、更にフロアタイルサンプル材が配置されており、上記床板サンプル材と上記フロアタイルサンプル材とは、左右方向に並んでおり、上記建具サンプル材と上記フロアタイルサンプル材とは、上記フロアタイルサンプル材を後方として前後方向に並んでいる。
【００３２】
上記構成によれば、床にフロアタイルが貼られた部屋の内装を施主らがイメージすることができる。また、床板サンプル材、フロアタイルサンプル材、及び建具サンプル材が、実際の部屋の位置関係で露出されているので、施主らが実際の部屋の内装イメージを理解しやすい。
【００３３】
(11)  好ましくは、上記ケースの上記枠内に、更にカーテン生地サンプル材が配置されており、上記壁クロスサンプル材の上方に上記カーテン生地サンプル材が重ねられて、上記壁クロスサンプル材の一部が露出されている。
【００３４】
上記構成によれば、カーテンが設けられた部屋の内装を施主らがイメージすることができる。また、壁クロスサンプル材及びカーテン生地サンプル材が、実際の部屋の位置関係で露出されているので、施主らが実際の部屋の内装イメージを理解しやすい。
【００３５】
(12)  好ましくは、上記天井サンプル材と上記カーテン生地サンプル材とは、左右方向に並んでいる。
【００３６】
上記構成によれば、天井サンプル材とカーテン生地サンプル材との調和を施主らがイメージしやすい。
【００３７】
(13)  好ましくは、上記ケースの上記枠内に、更に床置き家具生地サンプル材が配置されており、上記床板サンプル材の上方に上記床置き家具生地サンプル材が重ねられて、上記床板サンプル材の一部が露出されている。
【００３８】
上記構成によれば、床置き家具が載置された部屋の内装を施主らがイメージすることができる。また、床板サンプル材及び床置き家具生地サンプル材が、実際の部屋の位置関係で露出されているので、施主らが実際の部屋の内装イメージを理解しやすい。
【００３９】
(14)  好ましくは、上記ケースの上記枠内に、更に施主名が記載されたカードが配置されている。
【００４０】
各サンプル材がレイアウトされたケースを撮影した写真や、保管されているケースにおいて、どの施主の住宅の内装提案であるかを容易に特定できる。
【００４１】
(15)  好ましくは、上記枠の上面は、上記枠内に配置された各種サンプル材の最上位置よりも高い。
【００４２】
上記構成によれば、各サンプル材がレイアウトされた複数のケースが積み上げられた状態で保管されやすい。
【発明の効果】
【００４３】
本発明に係る内装提案装置によれば、既存のサンプル材を使用して、多様な住宅の部屋の内装を提案したり理解したりすることが容易である。
【図面の簡単な説明】
【００４４】
【図１】図１は、内装提案装置１０の平面図である。
【図２】図２は、ケース１１の斜視図である。
【図３】図３は、建具サンプル材２２、天井サンプル材２３、及びアクセントクロスサンプル材２４が枠１３内に配置された内装提案装置１０の平面図である。
【図４】図４は、建具サンプル材２２、天井サンプル材２３、アクセントクロスサンプル材２４、及び壁クロスサンプル材２１が枠１３内に配置された内装提案装置１０の平面図である。
【図５】図５は、建具サンプル材２２、天井サンプル材２３、アクセントクロスサンプル材２４、壁クロスサンプル材２１、及び床板サンプル材２０が枠１３内に配置された内装提案装置１０の平面図である。
【発明を実施するための形態】
【００４５】
以下、本発明の実施形態について説明する。なお、以下に説明される実施形態は、本発明の一例にすぎず、本発明の要旨を変更しない範囲で、本発明の実施形態を適宜変更できることは言うまでもない。
【００４６】
図１に示されるように、内装提案装置１０は、ケース１１と、ケース１１内に配置された各種サンプル材と、を有する。内装提案装置１０は、例えば、戸建て住宅のリビングなどにおける各種内装材を決定するときのプレゼンテーションに用いられる。このプレゼンテーションは、例えば、住宅メーカーの営業所や施主の住居などにおいて行われる。したがって、内装提案装置１０は、一般的な大きさの複数のサンプル材が配置でき、且つ、人が持ち運びできる程度の大きさ、重さであることが好ましい。
【００４７】
図２に示されるように、ケース１１は、底板１２と、枠１３と、を有する。底板１２は、各種サンプル材が載置可能な長方形の平板である。枠１３は、細長な角柱材が四角形状に組み合わされたものである。枠１３の外形は、底板１２の外形と同等である。枠１３の内側の空間は、平面視において概ねＪＩＳのＡ２サイズである。枠１３は、左右方向７に沿って平行に延びる前方枠部１３Ａ及び後方枠部１３Ｂと、前後方向６に沿って平行に延びる左方枠部１３Ｃ及び右方枠部１３Ｄと、を有する。枠１３の底面に底板１２が固定されている。
【００４８】
底板１２と枠１３とが固定された状態において、枠１３は、底板１２の周縁から上下方向５の上方へ突出する。枠１３の上面は平面である。枠１３の厚み（上下方向５に沿った寸法）は、底板１２に配置された各種サンプル材の最上位置より高いことが好ましく、例えば３ｃｍ程度である。
【００４９】
枠１３の色は、白色又は黒色であることが好ましい。白色の枠１３は、例えば、淡い色彩の内装材の組み合わせを提案する場合に好適である。黒色の枠１３は、例えば、濃い色彩の内装材の組み合わせを提案する場合に好適である。底板１２は、例えば、枠１３と同じ色であったり、灰色であったりすることが好ましい。
【００５０】
ケース１１の枠１３内には、各種サンプル材が配置される。各種サンプル材は、建具や床板、天井材、巾木などの木製のサンプル材や、フロアタイルなどの合成樹脂または天然素材のサンプル材、クロスやカーテン生地、家具生地などの布地のサンプル材などである。各種サンプル材は、サンプル材として一般に提供されているものが使用可能である。
【００５１】
図１に示されるように、本実施形態では、各種サンプル材として、床板サンプル材２０、壁クロスサンプル材２１、建具サンプル材２２、天井サンプル材２３、アクセントクロスサンプル材２４、巾木サンプル材２５、フロアタイルサンプル材２６、カーテン生地サンプル材２７、床置き家具生地サンプル材２８が用いられる。また、施主名が記載されたカード２９が、各種サンプル材と共にケース１１の枠１３内に配置されることがある。
【００５２】
床板サンプル材２０は、フローリングなどのサンプルであり、例えば、表面の化粧板が、ウォールナット、チェリー、オーク、メープルなどのように素材や色彩の濃淡が異なる複数種類のものが準備されている。床板サンプル材２０の外形は長方形である。床板サンプル材２０の大きさは特に限定されないが、一般に、単位製品を複数に分割したものが多く、例えば、前後方向６に沿った寸法が約２４ｃｍ、左右方向７に沿った寸法が約３０．３ｃｍである。
【００５３】
壁クロスサンプル材２１は、壁ボードに貼り付けられるクロスのサンプルであり、色彩や柄が異なる複数種類のものが準備されている。壁クロスサンプル材２１の外形は長方形である。壁クロスサンプル材２１の大きさは特に限定されないが、一般に、単位製品を複数に分割したものが多く、例えば、９０ｃｍ巾の壁クロスを４枚分として裁断したＪＩＳのＡ４サイズのものがある。
【００５４】
建具サンプル材２２は、ドアやドア枠、引き戸、収納扉などのサンプルであり、例えば、床板サンプル材２０と同様に、素材や色彩の濃淡が異なる複数種類のものが準備されている。建具サンプル材２２の外形は長方形である。建具サンプル材２２の大きさは特に限定されないが、例えば、前後方向６に沿った寸法が約３０ｃｍ、左右方向７に沿った寸法が約２４ｃｍである。
【００５５】
天井サンプル材２３は、木製の化粧板や壁クロスなどのサンプルであり、例えば、床板サンプル材２０や壁クロスサンプル材２１と同様に、素材や色彩の濃淡、柄が異なる複数種類のものが準備されている。天井サンプル材２３の外形は長方形である。天井サンプル材２３の大きさは特に限定されないが、例えば、木製の化粧板であれば、前後方向６に沿った寸法が約１４ｃｍ、左右方向７に沿った寸法が約２１ｃｍである。また、例えば、壁クロスであれば、ＪＩＳのＡ４サイズのものがある。
【００５６】
アクセントクロスサンプル材２４は、壁ボードに貼り付けられるクロスのサンプルであり、色彩や柄が異なる複数種類のものが準備されている。アクセントクロスサンプル材２４の外形は長方形である。アクセントクロスサンプル材２４の大きさは特に限定されないが、一般に、単位製品を複数に分割したものが多く、例えば、９０ｃｍ巾の壁クロスを４枚分として裁断したＪＩＳのＡ４サイズのものがある。
【００５７】
巾木サンプル材２５は、木製の巾木のサンプルであり、例えば、床板サンプル材２０と同様に、素材や色彩の濃淡が異なる複数種類のものが準備されている。巾木サンプル材２５の外形は長方形である。巾木サンプル材２５の大きさは特に限定されないが、例えば、製品である巾木を約２０ｃｍに切断したものである。
【００５８】
フロアタイルサンプル材２６は、例えば、表面の化粧板が、大理石などの天然素材や、天然素材を模した合成樹脂などのように素材や色彩の濃淡が異なる複数種類のものが準備されている。フロアタイルサンプル材２６の外形は長方形である。フロアタイルサンプル材２６の大きさは特に限定されないが、一般に、単位製品を複数に分割したものが多く、例えば、前後方向６に沿った寸法が約１２ｃｍ、左右方向７に沿った寸法が約１０ｃｍである。
【００５９】
カーテン生地サンプル材２７は、カーテンの生地のサンプルであり、複数種類の生地が準備されている。カーテン生地サンプル材２７の外形は長方形である。カーテン生地サンプル材２７の大きさは特に限定されないが、例えば、前後方向６に沿った寸法が約１５ｃｍ、左右方向７に沿った寸法が約１８ｃｍである。
【００６０】
床置き家具生地サンプル材２８は、ソファーや椅子など床に載置される家具に用いられる生地のサンプルであり、複数種類の生地が準備されている。床置き家具生地サンプル材２８の外形は長方形である。床置き家具生地サンプル材２８の大きさは特に限定されないが、例えば、１辺が８ｃｍの正方形である。
【００６１】
カード２９は、紙や合成樹脂シートに施主の名前などが記載されたものである。カード２９の外形は長方形である。カード２９の大きさは特に限定されないが、例えば、フロアタイルサンプル材２６と同程度の大きさである。
【００６２】
［各種サンプル材の配置］
施主に内装の提案をするインテリアコーディネーターなどのプレゼンターは、施主が希望する内装のイメージに合うように、各種サンプル材の種類を選択して、ケース１１の枠１３内において底板１２に載置する。
【００６３】
図３に示されるように、建具サンプル材２２は、枠１３内において左後の隅に配置される。つまり、建具サンプル材２２は、枠１３の後方枠部１３Ｂ及び左方枠部１３Ｃに当接している。
【００６４】
図３に示されるように、天井サンプル材２３は、枠１３内において右後の隅に配置される。つまり、天井サンプル材２３は、枠１３の後方枠部１３Ｂ及び右方枠部１３Ｄに当接している。なお、天井サンプル材２３は、木製の化粧板であるか、壁クロスであるかによって大きさが異なることがある。外形が比較的小さい木製の化粧板であれば、アクセントクロスサンプル材２４の上方に天井サンプル材２３が重ねられるか、アクセントクロスサンプル材２４と天井サンプル材２３とが前後方向６に並べられる。外形が比較的大きい壁クロスであれば、天井サンプル材２３の上方に、壁クロスサンプル材２１やアクセントクロスサンプル材２４が重ねられる。すなわち、天井サンプル材２３は、枠１３内に各種サンプル材を配置し終えた状態において露出される面積が、壁クロスサンプル材２１やアクセントクロスサンプル材２４より小さくなるように配置される。
【００６５】
図３に示されるように、アクセントクロスサンプル材２４は、枠１３内において右前の隅に配置される。つまり、アクセントクロスサンプル材２４は、枠１３の前方枠部１３Ａ及び右方枠部１３Ｄに当接している。なお、天井サンプル材２３が壁クロスであれば、アクセントクロスサンプル材２４は、天井サンプル材２３の一部が露出するように、天井サンプル材２３の上方に重ねられる。これにより、天井サンプル材２３とアクセントクロスサンプル材２４とは、天井サンプル材２３を後方として、前後方向６に並んでいる。
【００６６】
図４に示されるように、壁クロスサンプル材２１は、枠１３内において中央後に配置される。つまり、壁クロスサンプル材２１は、枠１３の後方枠部１３Ｂに当接している。壁クロスサンプル材２１は、建具サンプル材２２の一部が露出するように、建具サンプル材２２の上方に重ねられる。これにより、建具サンプル材２２と壁クロスサンプル材２１とは、左右方向７に並んでいる。左右方向７において、壁クロスサンプル材２１が露出する寸法は、建具サンプル材２２が露出する寸法より長い。例えば、サンプルがＡ４サイズであれば、壁クロスサンプル材２１が露出する左右方向７の寸法が約２９．７ｃｍであり、建具サンプル材２２が露出する左右方向７の寸法が約１０ｃｍである。
【００６７】
また、枠１３の後方枠部１３Ｂ付近において、壁クロスサンプル材２１と天井サンプル材２３とが隣り合っている。つまり、壁クロスサンプル材２１と天井サンプル材２３とは、左右方向７に並んでいる。また、建具サンプル材２２と天井サンプル材２３とは、左右方向７において壁クロスサンプル材２１を挟んで並んでいる。左右方向７において、壁クロスサンプル材２１が露出する寸法は、天井サンプル材２３が露出する寸法より長い。例えば、壁クロスサンプル材２１が露出する左右方向７の寸法が約３０ｃｍであり、天井サンプル材２３が露出する左右方向７の寸法が約２０ｃｍである。
【００６８】
なお、天井サンプル材２３が壁クロスであれば、壁クロスサンプル材２１は、天井サンプル材２３の一部が露出するように、天井サンプル材２３の上方に重ねられる。また、壁クロスサンプル材２１は、アクセントクロスサンプル材２４の一部が露出するように、アクセントクロスサンプル材２４の上方に重ねられる。アクセントクロスサンプル材２４が露出する左右方向７の寸法は約２０ｃｍである。また、アクセントクロスサンプル材２４が露出する前後方向６の寸法は、Ａ４サイズのサンプルであれば、約３０ｃｍである。これにより、壁クロスサンプル材２１とアクセントクロスサンプル材２４とは、前後方向６の中央付近において、左右方向７に並んでいる。
【００６９】
図５に示されるように、床板サンプル材２０は、枠１３内において中央前に配置される。つまり、床板サンプル材２０は、枠１３の前方枠部１３Ａに当接している。床板サンプル材２０は、壁クロスサンプル材２１の一部が露出するように、壁クロスサンプル材２１の上方に重ねられる。これにより、床板サンプル材２０と壁クロスサンプル材２１とは、壁クロスサンプル材２１を後方として、前後方向６に並んでいる。前後方向６において、床板サンプル材２０が露出する寸法は、壁クロスサンプル材２１が露出する寸法より長い。例えば、床板サンプル材２０が露出する前後方向６の寸法が約２４ｃｍであり、壁クロスサンプル材２１が露出する前後方向６の寸法が約１８．５ｃｍである。
【００７０】
床板サンプル材２０の後方において、壁クロスサンプル材２１とアクセントクロスサンプル材２４とが左右方向７に並んでいる。また、建具サンプル材２２の後方部分及び上記天井サンプル材２３は、床板サンプル材２０より前後方向６の後方に位置する。
【００７１】
床板サンプル材２０の左端が壁クロスサンプル材２１の左端と重複するように位置すると、床板サンプル材２０の右端が、壁クロスサンプル材２１の右端より若干右方となる。したがって、床板サンプル材２０の右端部分がアクセントクロスサンプル材２４の一部分の上方に重なる。これにより、床板サンプル材２０とアクセントクロスサンプル材２４とが左右方向７に並んでいる。
【００７２】
図１に示されるように、巾木サンプル材２５は、床板サンプル材２０の後方において、壁クロスサンプル材２１の上方に重ねられる。これにより、床板サンプル材２０と巾木サンプル材２５とは、巾木サンプル材２５を後方として、前後方向６に並んでいる。巾木サンプル材２５の左端は、床板サンプル材２０の左端と左右方向７の位置が同じである。これにより、巾木サンプル材２５は、建具サンプル材２２と左右方向７に並んでいる。なお、巾木サンプル材２５の左右方向７の寸法は約１８ｃｍなので、巾木サンプル材２５の右端は、壁クロスサンプル材２１の右端より左方に位置する。
【００７３】
図１に示されるように、フロアタイルサンプル材２６は、枠１３内において左前の隅に配置される。つまり、フロアタイルサンプル材２６は、枠１３の前方枠部１３Ａ及び左方枠部１３Ｃに当接している。フロアタイルサンプル材２６の短辺は約１０ｃｍなので、建具サンプル材２２が露出する左右方向７の寸法と同等である。したがって、フロアタイルサンプル材２６の右端と、建具サンプル材２２が露出部分の右端とは、左右方向７において同じ位置である。建具サンプル材２２とフロアタイルサンプル材２６とは、フロアタイルサンプル材２６を後方として前後方向６に並んでいる。また、フロアタイルサンプル材２６と床板サンプル材２０とは、左右方向７に並んでいる。
【００７４】
なお、フロアタイルを用いない内装が提案される場合、フロアタイルサンプル材２６に代えて、カード２９が、枠１３内において左前の隅に配置される。
【００７５】
図１に示されるように、カーテン生地サンプル材２７は、壁クロスサンプル材２１が露出された部分の上方に重ねられて配置される。カーテン生地サンプル材２７が配置された状態において、壁クロスサンプル材２１の一部が露出されている。カーテン生地サンプル材２７は、例えば、二つ折りにされて配置されることによって、実際のカーテンのイメージが生じやすい。また、カーテン生地サンプル材２７は、レースカーテンとドレープカーテンの２種類が、斜めに若干位置をずらして配置されることによって、２種類のカーテンのイメージが生じやすい。また、カーテン生地サンプル材２７が、天井サンプル材２３と左右方向７に並んでいることによって、カーテン生地と天井との組み合わせのイメージが生じやすい。なお、カーテン生地サンプル材２７と天井サンプル材２３とは、左右方向７において直接に隣り合っている必要はなく、壁クロスサンプル材２１を間に挟んで、左右方向７に並んでいてもよい。
【００７６】
図１に示されるように、床置き家具生地サンプル材２８は、床板サンプル材２０の上方に重ねられて配置される。床置き家具生地サンプル材２８が配置された状態において、床板サンプル材２０の一部が露出されている。
【００７７】
［本実施形態の作用効果］
ケース１１の枠１３内に各種サンプル材が配置されることによって、各種サンプル材による内装イメージに、ケース１１が載置されているテーブルの素材や色などが影響を与え難い。また、レイアウトされた各種サンプル材が枠１３で囲まれた状態で、施主らが見ることができるので、住宅の内装を一体感をもって施主らがイメージしやすい。また、各種サンプル材は、ケース１１の底板１２上に載置されているので、施主らの好みや意見によって、枠１３内のサンプル材を他の種類のサンプル材に交換することが容易である。また、各種サンプル材として、汎用のものが利用可能である。
【００７８】
また、ケース１１の底板１２上に各種サンプル材がレイアウトされた状態が維持されつつ、ケース１１が容易に移動できるので、提案すべきコーディネートに沿った各種サンプル材のレイアウトを、コーディネータが予め定める作業を行った後に、ケース１１と共にコーディネータが場所を移動したりして、そのレイアウトの各種サンプル材が載置されたケース１１をコーディネータが施主らに見せることができるので、作業効率がよい。
【００７９】
また、建具サンプル材２２の上方に壁クロスサンプル材２１が重ねられているので、枠１３内において建具サンプル材２２が露出される面積が、実際の部屋の内装において建具が占める面積の割合程度に調整されやすい。また、壁クロスサンプル材２１の上方に床板サンプル材２０が重ねられているので、枠１３内において、壁クロスサンプル材２１が露出される面積と、床板サンプル材２０が露出される面積とが、実際の部屋の内装において各々が占める面積の割合程度に調整されやすい。また、比較的厚みがある床板サンプル材２０が上方にあるので、壁クロスサンプル材２１が撓みにくい。
【００８０】
また、建具サンプル材２２と壁クロスサンプル材２１とが左右方向７に隣り合って露出されており、壁クロスサンプル材２１と天井サンプル材２３とが左右方向７に隣り合った状態で露出されており、壁クロスサンプル材２１と床板サンプル材２０とが前後方向６に隣り合った状態で露出されているので、内装提案装置１０を見た施主らが実際の部屋の内装イメージを理解しやすい。
【００８１】
また、建具サンプル材２２の一部及び天井サンプル材２３は、床板サンプル材２０より前後方向６の後方に位置する。これにより、枠１３内において、建具サンプル材２２、壁クロスサンプル材２１、及び床板サンプル材２０が、実際の部屋の位置関係で露出されているので、内装提案装置１０を見た施主らが実際の部屋の内装イメージを理解しやすい。
【００８２】
また、建具サンプル材２２及び天井サンプル材２３は、後方枠部１３Ｂに当接しており、床板サンプル材２０は、前方枠部１３Ａに当接しているので、内装提案装置１０を見た施主らが実際の部屋の内装イメージを理解しやすい。
【００８３】
また、建具サンプル材２２と天井サンプル材２３とは、左右方向７において壁クロスサンプル材２１を挟んで並んでいるので、内装提案装置１０を見た施主らが実際の部屋の内装イメージを理解しやすい。
【００８４】
また、アクセントクロスサンプル材２４の上方に床板サンプル材２０が重ねられて、アクセントクロスサンプル材２４の一部が露出されているので、壁にアクセントクロスが貼られた部屋の内装を施主らがイメージすることができる。また、枠１３内において、アクセントクロスサンプル材２４が露出される面積と、床板サンプル材２０が露出される面積とが、実際の部屋の内装において各々が占める面積の割合程度に調整されやすい。また、比較的厚みがある床板サンプル材２０が上方にあるので、アクセントクロスサンプル材２４が撓みにくい。
【００８５】
また、アクセントクロスサンプル材２４と床板サンプル材２０とは、左右方向７に並んでおり、アクセントクロスサンプル材２４と天井サンプル材２３とは、天井サンプル材２３を後方として前後方向６に並んでおり、壁クロスサンプル材２１とアクセントクロスサンプル材２４とは、左右方向７に並んでいるので、内装提案装置１０を見た施主らが実際の部屋の内装イメージを理解しやすい。
【００８６】
また、壁クロスサンプル材２１の上方に巾木サンプル材２５が重ねられており、床板サンプル材２０と巾木サンプル材２５とは、巾木サンプル材２５を後方として前後方向６に並んでいる。また、巾木サンプル材２５は、建具サンプル材２２と左右方向７に並んでいる。これにより、内装提案装置１０を見た施主らが実際の部屋の内装イメージを理解しやすい。また、比較的厚みがある巾木サンプル材２５が壁クロスサンプル材２１の上方にあるので、壁クロスサンプル材２１が撓みにくい。
【００８７】
また、床板サンプル材２０とフロアタイルサンプル材２６とは、左右方向７に並んでおり、建具サンプル材２２とフロアタイルサンプル材２６とは、フロアタイルサンプル材２６を後方として前後方向６に並んでいるので、内装提案装置１０を見た施主らが実際の部屋の内装イメージを理解しやすい。
【００８８】
また、壁クロスサンプル材２１の上方にカーテン生地サンプル材２７が重ねられて、壁クロスサンプル材２１の一部が露出されている。また、天井サンプル材２３とカーテン生地サンプル材２７とは、左右方向７に並んでいる。これにより、内装提案装置１０を見た施主らが実際の部屋の内装イメージを理解しやすい。
【００８９】
また、床板サンプル材２０の上方に床置き家具生地サンプル材２８が重ねられて、床板サンプル材２０の一部が露出されているので、内装提案装置１０を見た施主らが実際の部屋の内装イメージを理解しやすい。
【００９０】
また、ケースの枠１３内に、施主名が記載されたカード２９が配置されることにより、各種サンプル材がレイアウトされたケース１１を撮影した写真や、保管されているケース１１において、どの施主の住宅の内装提案であるかを容易に特定できる。
【００９１】
また、枠１３の上面は、枠１３内に配置された各種サンプル材の最上位置よりも高いので、各種サンプル材がレイアウトされた複数のケース１１が積み上げられた状態で保管されやすい。
【符号の説明】
【００９２】
１０・・・内装提案装置
１１・・・ケース
１２・・・底板
１３・・・枠
１３Ａ・・・前方枠部
１３Ｂ・・・後方枠部
２０・・・床板サンプル材
２１・・・壁クロスサンプル材
２２・・・建具サンプル材
２３・・・天井サンプル材
２４・・・アクセントクロスサンプル材
２５・・・巾木サンプル材
２６・・・フロアタイルサンプル材
２７・・・カーテン生地サンプル材
２８・・・床置き家具生地サンプル材
２９・・・カード
【図１】
2020034797.tif 000003
【図２】
2020034797.tif 000004
【図３】
2020034797.tif 000005
【図４】
2020034797.tif 000006
【図５】
2020034797.tif 000007